(57)【要約】【目的】  光書込装置の被走査面における主走査方向の任意の画像書き込み位置にて書込クロックの幅が変更されることによる出力画像への影響を回避できるようにする。【構成】【解決手段】  書込制御ＡＳＩＣ１１が、光検出器４４からの同期検知信号に基づいて感光体ドラム４３の表面における主走査方向の画像書き出し位置を決定し、その決定結果に基づいて感光体ドラム４３の表面における主走査方向の任意の画像書き込み位置にて書込クロックの周波数を単発的に変更し、その周波数の変更によって発生する画像の伸縮差分の位置補正を、感光体ドラム４３の表面における主走査方向の上記書込クロックの周波数の変更に対応する画像書き込み位置である第１の補正位置と他の画像書き込み位置である第２の補正位置へ割り振って行う。【選択図】        図１
2005238660.tif 000002
【特許請求の範囲】
【請求項１】
書き込み画像に対応する光ビームを被走査面の移動方向である副走査方向に所定ピッチづつずらしつつ、該副走査方向と直交する主走査方向に該被走査面を走査して、該被走査面に画像書き込みを行う光書込装置において、
前記画像書き込みの制御を行う際に使用する書込クロックを発生する書込クロック発生手段と、
前記被走査面における前記主走査方向の画像書き出し位置の基準位置を検出して対応する検出信号を出力する書出基準位置検出手段と、
該手段からの検出信号に基づいて前記被走査面における前記主走査方向の画像書き出し位置を決定する書出位置決定手段と、
該手段による決定結果に基づいて前記被走査面における前記主走査方向の任意の画像書き込み位置にて前記書込クロック発生手段からの書込クロックの周波数を単発的に変更する書込クロック周波数変更手段と、
該手段による前記書込クロックの周波数の変更によって発生する画像の伸縮差分の位置補正を、前記被走査面における前記主走査方向の該書込クロックの周波数の変更に対応する画像書き込み位置である第１の補正位置と他の画像書き込み位置である第２の補正位置へ割り振って行う位置補正実行手段と
を設けたことを特徴とする光書込装置。
【請求項２】
請求項１記載の光書込装置において、
前記第１の補正位置と前記第２の補正位置との間隔を調整する間隔調整手段を設けたことを特徴とする光書込装置。
【請求項３】
請求項２記載の光書込装置において、
前記間隔調整手段が、前記第１の補正位置と前記第２の補正位置との間隔を前記被走査面に対する前記光ビームの前記主走査方向の各走査毎に変化させることを特徴とする光書込装置。
【請求項４】
請求項１乃至３のいずれか一項に記載の光書込装置を備え、その光書込装置を用いて画像形成を行うようにしたことを特徴とする画像形成装置。
【発明の詳細な説明】
【技術分野】
【０００１】
この発明は、光ビームによって画像書き込みを行う光書込装置と、それを備えたレーザプリンタ，デジタル複写機，ファクシミリ装置等の画像形成装置に関する。
【背景技術】
【０００２】
上記のような光書込装置では、ポリゴンモータによって回転されるポリゴンミラーを用いて発光素子である半導体レーザ（レーザダイオード）からのレーザビーム（光ビーム）を周期的に偏向させ、像担持体（感光体等）の表面である被走査面の移動方向（回動方向）である副走査方向に所定ピッチづつずらしつつ、その副走査方向と直交する主走査方向（ライン方向）に被走査面を走査して、その被走査面に画像の書き込みを行っている。
このような光書込装置において、被走査面でのレーザビームの等間隔性は、ｆθレンズによって保たれる。
【０００３】
近年、ｆθレンズはガラス素材からプラスチック化が進められており、それによってコストダウンを図ることができるようになったが、プラスチック化によって機内（光書込装置を用いた画像形成装置内）の熱によるレンズへの影響が懸念されている。
機内温度が上昇することにより、プラスチックレンズが膨張し、その結果、被走査面の正確な位置へレーザビームによる画像の書き込みを行えなくなることがある。
また、レンズは、主走査方向に倍率偏差を有するため、主走査方向での任意エリア幅同士が、等しい距離になることはない。
【０００４】
そこで、上記の誤差を解消するため、書込クロックの周波数を単発的に変更（伸縮）させ、被走査面における主走査方向の任意の画像書き込み位置にて書込クロックの幅を変化させることにより、その変更によって発生する画像の伸縮差分の位置補正を行い、被走査面における主走査方向の画像書き込み位置を本来の目標位置に合わせ込む技術が提案されている（例えば特許文献１参照）。
【特許文献１】特開２００３−０３４０５１号公報
【０００５】
この技術においては、被走査面における主走査方向の画像書き出し位置（画像書込開始位置）を、主走査方向の後端側に移動させたい場合は、任意の画像書き込み位置での書込クロックの幅を広げることにより、以降の主走査方向の画像書き込み位置が、この広がった差分だけずれることになる。そして、この動作を繰り返すことにより、任意の画像書き込み位置に画像の書き込みが行われるようにする（レーザビームが当たるようにする）。また、ｆθレンズの倍率偏差についても、各エリア毎の偏差に合わせて、書込クロックの幅を変更させることにより、偏差のキャンセルを行うことができる。
【発明の開示】
【発明が解決しようとする課題】
【０００６】
上記の技術によると、書込クロックが伸縮した場合、その書込クロックによって発生させるレーザビーム（画素情報）も同時に伸縮することになり、特にカラー機においては、Ｙ（イエロー），Ｍ（マゼンタ），Ｃ（シアン）の重ね合わせによって色を表現するため、書込クロックの周波数の伸縮を行った部分と行っていない部分で色味が変わることがある。
この発明は、このような問題点に鑑みてなされたものであり、被走査面における主走査方向の任意の画像書き込み位置にて書込クロックの幅が変更されることによる出力画像への影響を回避できるようにすることを目的とする。
【課題を解決するための手段】
【０００７】
この発明は、上記の目的を達成するため、書き込み画像に対応する光ビームを被走査面の移動方向である副走査方向に所定ピッチづつずらしつつ、該副走査方向と直交する主走査方向に該被走査面を走査して、該被走査面に画像書き込みを行う光書込装置において、上記画像書き込みの制御を行う際に使用する書込クロックを発生する書込クロック発生手段と、上記被走査面における上記主走査方向の画像書き出し位置の基準位置を検出して対応する検出信号を出力する書出基準位置検出手段と、該手段からの検出信号に基づいて上記被走査面における上記主走査方向の画像書き出し位置を決定する書出位置決定手段と、該手段による決定結果に基づいて上記被走査面における上記主走査方向の任意の画像書き込み位置にて上記書込クロック発生手段からの書込クロックの周波数を単発的に変更する書込クロック周波数変更手段と、該手段による上記書込クロックの周波数の変更によって発生する画像の伸縮差分の位置補正を、上記被走査面における上記主走査方向の該書込クロックの周波数の変更に対応する画像書き込み位置である第１の補正位置と他の画像書き込み位置である第２の補正位置へ割り振って行う位置補正実行手段とを設けたものである。
【０００８】
さらに、上記第１の補正位置と上記第２の補正位置との間隔を調整する間隔調整手段を設けるとよい。
この場合、上記間隔調整手段が、上記第１の補正位置と上記第２の補正位置との間隔を上記被走査面に対する上記光ビームの上記主走査方向の各走査毎に変化させるようにすればよい。
また、上記の光書込装置を備え、それを用いて画像形成を行う画像形成装置も提供する。
【発明の効果】
【０００９】
この発明によれば、被走査面における主走査方向の任意の画像書き込み位置にて書込クロックの幅が伸縮（変更）されることによる出力画像への影響を回避することができる。
【発明を実施するための最良の形態】
【００１０】
以下、この発明を実施するための最良の形態を図面に基づいて具体的に説明する。
図２は、この発明を実施する光書込装置を搭載したデジタル複写機の要部構成例を示すブロック図である。
このデジタル複写機は、原稿の画像を光学的に読み取るスキャナ部１と、スキャナ部１によって読み取られた画像データ（画像信号）をプリント出力するプリンタ部１０と、このデジタル複写機全体を統括的に制御するメイン制御部（本体制御部）２０と、ユーザが指示を与える操作部３０とを備えている。
【００１１】
スキャナ部１は、ＶＰＵ２およびＩＰＵ３を備えている。
ＶＰＵ２は、図示しないＣＣＤセンサからの原稿画像に応じた電気信号をＡ／Ｄ変換し、更に黒オフセット補正，シェーディング補正，画素位置補正を行い、画像データとして出力する。
ＩＰＵ３は、ＶＰＵ２からの画像データに対して所定の画像処理を施す。
【００１２】
プリンタ部１０は、書込制御ＡＳＩＣ１１，ＬＤ制御部１２，ＬＤアレイ１３を備えている。
書込制御ＡＳＩＣ１１は、スキャナ部１あるいは画像メモリ２４からの画像データ（画像情報）に基づいてプリンタ部１０全体を統括的に制御する。
ＬＤ制御部１２は、書込制御ＡＳＩＣ１１からの画像データに基づいてＬＤアレイ１３を制御する。
【００１３】
ＬＤアレイ１３は、複数個（この実施例では４個）の発光素子（ＬＤ）および１個の受光素子を１パッケージに納めたものであり、その各発光素子からそれぞれ画像データ（書き込み画像）に応じて変調されたレーザビーム（光ビーム）を射出し、図示しないポリゴンミラー等を介して感光体（他の像担持体でもよい）の表面である被走査面（図示しない帯電器により帯電されている）に照射することにより、静電潜像を形成させる。なお、ＬＤアレイ１３の代わりに単体のＬＤを使用してもよい。
【００１４】
メイン制御部２０は、ＣＰＵ２１，ＲＯＭ２２，ＲＡＭ２３，および画像メモリ２４を備えている。それらは、システムバス２５によって相互に接続されている。また、このシステムバス２５とＩ／Ｆ（インタフェース）部３１により、スキャナ部１とプリンタ部１０とメイン制御部２０とが相互に接続されている。
ＣＰＵ２１は、ＲＯＭ２２内の制御プログラムに従ってメイン制御部２０全体を統括的に制御する中央処理装置である。
【００１５】
ＲＯＭ２２は、ＣＰＵ２１が使用する制御プログラムを記憶している読み出し専用メモリである。
ＲＡＭ２３は、ＣＰＵ２１がデータ処理を行う際に使用するワークメモリ等として使用する読み書き可能なメモリである。
画像メモリ２４は、スキャナ部１からの画像データをページ単位に記憶する読み書き可能なメモリである。
【００１６】
図１は、プリンタ部１０内のこの発明に係わる光書込装置（書込ユニット）の構成例を示す図である。
この光書込装置は、画像データ（書き込み画像）に対応するレーザビーム（光ビーム）を感光体ドラム４３の表面（被走査面）の移動方向である副走査方向に所定ピッチづつずらしつつ、その副走査方向と直交する主走査方向に感光体ドラム４３の表面を走査して、その表面に画像書き込みを行う。
【００１７】
すなわち、ＬＤアレイ１３の発光部５１より前方に射出されたレーザビームは、図示しないコリメータレンズによりコリメートされて、回転多面鏡（ポリゴンミラー）からなる偏向器（ビーム光走査手段）４１で周期的に偏向され、ｆθレンズ４２により感光体ドラム４３の図示しない帯電器で一様に帯電された表面（被走査面）に結像されて、その結像スポットが偏向器４１の回転で感光体ドラム４３の軸方向である主走査方向に反復して移動走査されると同時に、感光体ドラム４３が回転する。
【００１８】
ＬＤアレイ１３は、4個の発光素子からなる発光部５１を有しているため、感光体ドラム４３の表面に副走査方向（主走査方向と直交する方向である感光体ドラム４３の表面の移動方向）に所定ピッチづつずれた（所定の位置差をもった）４本のレーザビーム照射軌跡が描かれる。
なお、レーザビームの照射によって感光体ドラム４３の表面には静電潜像（静電画像）が形成される。この静電潜像は図示しない現像器からのトナーによって現像され、トナー画像が形成される。このトナー画像は、図示しない給紙部から給紙される転写紙に図示しない転写器によって転写される。
【００１９】
感光体ドラム４３の表面を走査する直前のレーザビームは、感光体ドラム４３の表面の有効画像領域の外（主走査書込領域外）の前側に配置されたフォトダイオード等の受光素子からなる光検出器（書出基準位置検出手段）４４を通過するため、その光検出器４４がそのレーザビーム（感光体ドラム４３の表面における主走査方向の画像書き出し位置の基準位置）を検出（検知）して主走査方向の位置合わせを行う（主走査方向の画像書き出し位置を規定する）ための同期検知信号（検出信号）を生成して出力する。また、有効画像領域外の後ろ側にも光検出器４４と同等の光検出器４５が配置されており、その光検出器４４，４５をペアで使用することにより、その光検出器４４，４５をレーザビームが通過する時間差（書込クロック数）をｆθレンズ４２の全体の誤差を求める情報とする。
【００２０】
書込制御ＡＳＩＣ１１は、光検出器４４からの同期検知信号に基づいて感光体ドラム４３の表面における主走査方向の画像書き出し位置を決定し、その決定結果に基づいてＬＤ制御部１２内の４個のＬＤ駆動制御回路６０（半導体レーザ駆動制御手段）への４つ（４ライン分）の画像データ（ＤＡＴＡ信号）の出力タイミング、切替スイッチ回路６５へのＳＷ切替信号の出力タイミング、および各ＬＤ駆動制御回路６０のＡＰＣ制御部６２へのＡＰＣ信号（制御開始信号），光量調整信号の各出力タイミング、後述する出力データコントロール部７３へのクロック伸縮信号（伸縮データ）の出力タイミングをそれぞれ決定し、それらの信号をそれぞれ決定したタイミングで出力する。そのうち、４ライン分の画像データはそれぞれ、後述する書込クロック（書込ＣＬＫ）に同期してＬＤ制御部１２へ出力される。
【００２１】
また、決定した画像書き出し位置に基づいて必要に応じて感光体ドラム４３の表面における主走査方向の任意の画像書き込み位置にて書込クロックの周波数を単発的に伸縮（変更）し、その書込クロックの周波数の伸縮によって発生する画像の伸縮差分の位置補正を、感光体ドラム４３の表面における主走査方向の上記書込クロックの周波数の伸縮に対応する画像書き込み位置である第１の補正位置と他の画像書き込み位置である第２の補正位置へ割り振って行う。このとき、書込クロックの周波数（幅）の伸縮に合わせて第１，第２の補正位置に対する１ｄｏｔ（ドット）の画像データのｂｉｔ（ビット）数を変更する。第１の補正位置と第２の補正位置との間隔は、調整可能である。
よって、この書込制御ＡＳＩＣ１１は、書出位置決定手段，書込クロック周波数変更手段，位置補正実行手段，および間隔調整手段としての機能を果す。
【００２２】
各ＬＤ駆動制御回路６０はそれぞれ、ＬＤ駆動部６１とＡＰＣ制御部６２とによって構成されている。
各ＬＤ駆動制御回路６０内のＬＤ駆動部６１はそれぞれ、書込制御ＡＳＩＣ１１からの４ライン分の画像データにより、ＬＤアレイ１３の発光部５１の４つの発光素子を同時に駆動してその各発光素子からそれぞれレーザビームを射出させ、感光体ドラム４３の表面に４ライン分の光書き込みを同時に行わせ、静電潜像を形成させる。
【００２３】
ＬＤアレイ１３の発光部５１から後方に射出されるレーザビームは、フォトダイオード等の受光素子からなる受光部５２に入射される。
受光部５２は、入射されるレーザビーム（但しＡＰＣ動作時に発光部５１の各発光素子から順次射出されるレーザビーム）の光強度（発光素子の発光レベル）を検出し、それに対応する受光信号を切替スイッチ回路６５（切替スイッチ手段）を介していずれかのＬＤ駆動制御回路６０のＡＰＣ制御部６２（今回対応する発光素子を発光させたＬＤ駆動部６１を有するＬＤ駆動制御回路６０のＡＰＣ制御部６２）へ出力する。
【００２４】
切替スイッチ回路６５は、４個の切替スイッチ（以下「切替ＳＷ」ともいう）６６〜６９によって構成されており、書込制御ＡＳＩＣ１１からのＳＷ切替信号によって切替ＳＷ６６〜６９のいずれかを選択的にＯＮ状態にすることにより、ＬＤアレイ１３の受光部５２から出力される受光信号をいずれのＬＤ駆動制御回路６０の負帰還ループ（光電気負帰還ループ）として構成させるかを切り替える。
【００２５】
各ＬＤ駆動制御回路６０内のＡＰＣ制御部６２はそれぞれ、ゲート信号としてのＡＰＣ信号のアサート期間に、ＡＰＣ動作を行う。つまり、入力される受光信号に応じてＬＤ駆動部６１を制御してＬＤアレイ１３の発光部５１の対応する発光素子の発光レベルを一定に制御する（受光信号と発光レベル指定信号とがそれぞれ等しくなるように、その発光素子に流れる順方向電流を制御する）。
このとき、ＬＤアレイ１３の対応する発光素子の駆動電源をその発光素子の発光レベルが一定になるように（対応する受光信号と発光レベル指定信号とがそれぞれ等しくなるように）調整して保持する。
【００２６】
図３は、図２の書込制御ＡＳＩＣ１１の構成例を示すブロック図である。
この書込制御ＡＳＩＣ１１は、図２のＩＰＵ３又は画像メモリ２４からの画像データに対して速度変換およびフォーマット変換を施すメモリブロック７１と、メモリブロック７１からの画像データに対して所定の画像処理を施す画像処理部７２と、画像処理部７２からの画像データに対してγ変換およびＰセンサパターン付与等の処理を施す出力データコントロール部７３とを備えている。
【００２７】
この書込制御ＡＳＩＣ１１はまた、図示は省略するが、書込クロック伸縮信号発生器（書込クロック伸縮信号発生手段）も備えている。
この書込クロック伸縮信号発生器は、書込クロックの周波数を伸縮（変更）させるためのクロック伸縮信号を予め設定された回数分だけ決定したタイミングでそれぞれ出力データコントロール部７３へ出力する。なお、クロック伸縮信号の出力による書込クロックの伸縮幅（伸幅又は縮幅）は、操作部３０等からの指示によって予め設定しておくことができる。
【００２８】
図４は、図３の出力データコントロール部７３の構成例を示すブロック図である。
この出力データコントロール部７３は、画像処理部７２から入力された画像データに、プロセス条件を決定するデータ取得のために感光体ドラム４３上にある一定の濃度のトナーをのせるためのＰセンサパターンを付与するＰセンサブロック８１と、データの重みを変化させるγ変換ブロック８２とを備えている。
【００２９】
また、ＬＤアレイ１３の発光部５１の各発光素子から射出されるレーザビームの光強度（光量）を一定に保つためのＡＰＣ動作のタイミングに同期して画像を付与するＡＰＣブロック８３と、ＬＤアレイ１３の発光部５１の各発光素子の発光ドット（発光画素）数を計測（カウント）する画素カウントブロック８４と、同期検知出力用の発光データを付与するＬＤｏｎ／ｏｆｆブロック８５と、クロック生成部８６と、ゲート信号生成部８７とを備えている。
【００３０】
クロック生成部８６は、画像データのＰＷＭ（Pulse Width Modulation）制御を行うＰＷＭ制御部８６ａと、画像書き込みの制御を行う際に使用する書込クロックを発生（生成）する書込クロック発生手段としての機能を果たすＰＬＬ（Phase Locked Loop）回路８６ｂとを備え、上述した書込クロック伸縮信号発生器から入力されるクロック伸縮信号（伸縮データ）によって書込クロック（書込ＣＬＫ）の幅（周波数）を伸縮させる。
ゲート信号生成部８７は、主走査カウンタ部８７ａを備え、その主走査カウンタ部８７ａのカウント値を参照することにより、各処理に必要となる上述したＡＰＣ信号等の各ゲート信号を生成して出力する。
【００３１】
主走査カウンタ部８７ａは、有効画像領域外の前後に配置された図１の光検出器４４，４５によるレーザビームの検出時点間の書込クロック数、つまりレーザビームが光検出器４４に達してから光検出器４５に達するまでの間（光検出器４４からの同期検知信号の入力時点より光検出器４５からの同期検知信号の入力時点までの間）の書込クロック数（主走査方向長）を計数（カウント）し、その計数値をメイン制御部２０のＣＰＵ２１へ出力する。その計数値が、ｆθレンズ４２の全体の誤差を求める情報となる。
メイン制御部２０のＣＰＵ２１は、主走査カウンタ部８７ａからの計数値に基づいて１主走査当りのクロック伸縮信号の出力回数を決定し、それを書込制御ＡＳＩＣ１１内の書込クロック伸縮信号発生器に設定する。
【００３２】
図５は書込制御ＡＳＩＣ１１におけるこの発明に係わる動作例を従来の動作例と比較して示すタイミングチャートであり、同図の（ａ）は従来の動作例を、（ｂ）はこの発明に係わる動作例をそれぞれ示している。なお、図５の（ａ）（ｂ）には、説明の都合上、１個の発光素子へ送出する１ライン（１主走査）分の画像データに対応する動作のみ示している。また、第１の補正位置（感光体ドラム４３の表面における主走査方向の書込クロックの周波数の伸縮に対応する画像書き込み位置）と第２の補正位置（他の画像書き込み位置）との間隔は、２ｃｌｋ（２クロック）の書込クロックに対応するものとする。さらに、図５の（ａ）（ｂ）に示す動作は、伸縮データ（書込クロック伸縮信号）によって１６／１６ｄｏｔ幅の書込ＣＬＫを１８／１６ｄｏｔに伸ばす動作の例であり、ここでは伸縮データ［１：０］＝２’ｂ０１にて書込クロックが伸びる場合の例を示している。
【００３３】
まず、図５の（ａ）に示す動作について説明する。
（Ａ１）伸縮データ（２’ｂ０１ ）が入力されると、伸ばされるＣＬＫ幅（書込クロックの１周期の幅）に対応するように、画像データのｂｉｔ（ビット）数が増減される。書込クロックの２ｃｌｋ後に、ｄａｔａ（ｍ）の画像データ［１５：０］を１６ｂｉｔから１８ｂｉｔに変更し、１８ｂｉｔの画像データ［１７：０］とする。
（Ａ２）書込クロックの次のｃｌｋにて(トータルで３ｃｌｋ後)、ＣＬＫ幅が２／１６ｄｏｔ伸びて、（Ａ１）で生成した１８ｂｉｔの画像データ［１７：０］をこのＣＬＫ幅でシリアル出力する。
【００３４】
次に、図５の（ｂ）に示す動作について説明する。
（Ｂ１）伸縮データ（２’ｂ０１ ）が入力されると、ｄａｔａ（ｍ）,ｄａｔａ（ｍ＋２）の画像データをそれぞれ１６ｂｉｔから１７ｂｉｔに変更する。
（Ｂ２）伸縮データの発生から書込クロックの２ｃｌｋ目にて、伸縮した書込クロックに対応する画像データを生成する。ここでは、伸びたＣＬＫ幅に対応するため、ｄａｔａ（ｍ）の１７ｂｉｔ［１６：０］とｄａｔａ（ｍ＋１）の下位１ｂｉｔ［０］にて１８ｂｉｔの画像データを生成する。
【００３５】
（Ｂ３）書込クロックの次のｃｌｋにて、ｄａｔａ（ｍ＋１）の残りの１５ｂｉｔ［１５：１］とｄａｔａ（ｍ＋２）の下位１ｂｉｔ［０］にて１６ｂｉｔの画像データを生成する。
（４）書込クロックの次のｃｌｋにて、１７ｂｉｔ化された、ｄａｔａ（ｍ＋２）の残りの１６ｂｉｔ［１６：１］を画像データとして生成する。
（５）生成した各画像データは、順次ＰＷＭ制御によってシリアル出力する。
【００３６】
図６は、書込制御ＡＳＩＣ１１によるこの発明に係わる出力画像イメージを従来の出力画像イメージと比較して示す説明図である。これらの出力画像イメージは、入力画像データによって１ｃｌｋ（１ｄｏｔ）毎に１個の発光素子をフル点灯→消灯（白）→フル点灯→消灯→・・・と繰り返した場合に得られるものであるが、図６の（ａ）に示す出力画像イメージは図５の（ａ）に示した従来の動作を、図６の（ｂ）に示す出力画像イメージは図５の（ｂ）に示したこの発明に係わる動作をそれぞれ行うことによって得られる。
【００３７】
なお、上述した実施例では、書込クロックのＣＬＫ幅を伸ばす動作について説明したが、書込クロックのＣＬＫ幅を縮める動作を行うこともできる。この場合には、例えばｄａｔａ（ｍ）,ｄａｔａ（ｍ＋２）の画像データを１６ｂｉｔから１５ｂｉｔに変更する。
また、第１の補正位置と第２の補正位置との間隔を操作部３０等からの指示によって任意の値に設定（調整）することにより、書込クロックの周波数の変更によって発生する画像の伸縮差分の位置補正の割り振り位置を変更することもできる。この場合、感光体ドラム４３の表面における主走査方向の任意の画像書き込み位置（この位置に対応する値も操作部３０等からの指示によって設定可能であるが、固定値としてもよい）にて書込クロックの周波数を単発的に変更し、その周波数の変更によって発生する画像の伸縮差分の位置補正を、感光体ドラム４３の表面における主走査方向の上記書込クロックの周波数の変更に対応する画像書き込み位置である第１の補正位置とその位置から予め設定された任意の値に対応するｃｌｋ分だけ離れた画像書き込み位置である第２の補正位置とに振り分けて行うことができる。
【００３８】
例えば、第１の補正位置と第２の補正位置との間隔の値（第１の設定値）が「５」として設定され、第１の補正位置に対応する値（第２の設定値）が「２」として設定されている場合には、画像書き出し位置に対応する時点から書込クロックの２ｃｌｋ目の周波数を変更し、その周波数の変更によって発生する画像の伸縮差分の位置補正を、感光体ドラム４３の表面における主走査方向の上記書込クロックの周波数の変更に対応する画像書き込み位置とその位置から５ｃｌｋ分だけ離れた画像書き込み位置とに振り分けて行う。
【００３９】
さらに、上記第１，第２の設定値を乱数表等を用いて１書込ライン毎に随時変化させて動作させることもできる。この場合、この実施例では、４個の発光素子からなるＬＤアレイ１３を用い、１主走査で４ライン分の画像書き込みを行うため、その各書込ラインにそれぞれ対応する個々の書込クロックと伸縮データを発生するように構成することにより、１書込ライン毎に上記第１，第２の設定値を変更できることになる。もし、ＬＤアレイ１３の代わりに単体の発光素子を使用するような場合は、１主走査で１ライン分の画像書き込みを行うため、その画像書き込み毎に上記第１，第２の設定値を変更できることになる。
【００４０】
このように、書込制御ＡＳＩＣ１１が、光検出器４４からの同期検知信号に基づいて感光体ドラム４３の表面における主走査方向の画像書き出し位置を決定し、その決定結果に基づいて感光体ドラム４３の表面における主走査方向の任意の画像書き込み位置にて書込クロックの周波数を単発的に変更し、その周波数の変更によって発生する画像の伸縮差分の位置補正を、感光体ドラム４３の表面における主走査方向の複数の画像書き込み位置（上記書込クロックの周波数の変更に対応する画像書き込み位置である第１の補正位置と他の画像書き込み位置である第２の補正位置）へ割り振って行うことにより、１ｄｏｔ画像に対する補正量が小さくなるので、出力画像への影響をなくすことができる。
【００４１】
また、第１の補正位置と第２の補正位置との間隔を調整（任意に設定）可能にすれば、その間隔を最適化することにより、より出力画像への影響をなくすことができる。
さらに、第１の補正位置と第２の補正位置との間隔を感光体ドラム４３の表面に対するレーザビームの主走査方向の主走査毎に変化させる（ランダムにする）ことにより、主走査毎に異なるタイミングで位置補正がなされるため、副走査方向の影響もなくすことができる。
【００４２】
以上、この発明を複数個の発光素子（ＬＤ）からなるＬＤアレイを用いた光書込装置およびそれを搭載したデジタル複写機に適用した実施形態について説明したが、この発明はこれに限らず、単体の発光素子を用いた光書込装置およびそれを搭載したデジタル複写機には勿論、上記のＬＤアレイ又は単体の発光素子を用いたレーザプリンタやファクシミリ装置等の他の電子写真方式の画像形成装置にも適用し得るものである。
【産業上の利用可能性】
【００４３】
この発明は、光ビームによって画像書き込みを行う光書込装置と、それを備えたレーザプリンタ，デジタル複写機，ファクシミリ装置等の画像形成装置に適用可能である。
【図面の簡単な説明】
【００４４】
【図１】図２のプリンタ部１０内のこの発明に係わる光書込装置の構成例を示す図である。
【図２】この発明を実施する光書込装置を搭載したデジタル複写機の要部構成例を示すブロック図である。
【図３】図１の書込制御ＡＳＩＣ１１の構成例を示すブロック図である。
【図４】図３の出力データコントロール部７３の構成例を示すブロック図である。
【図５】図２の書込制御ＡＳＩＣ１１におけるこの発明に係わる動作例を従来の動作例と比較して示すタイミング図である。
【図６】図２の書込制御ＡＳＩＣ１１によるこの発明に係わる出力画像イメージを従来の出力画像イメージと比較して示す説明図である。
【符号の説明】
【００４５】
１：スキャナ部    １０：プリンタ部    １１：書込制御ＡＳＩＣ    １２：ＬＤ制御部    １３：ＬＤアレイ（半導体レーザアレイ）    ２１：ＣＰＵ    ２２：ＲＯＭ    ２３：ＲＡＭ    ２４：画像メモリ    ３０：操作部    ４２：ｆθレンズ    ４３：感光体ドラム    ４４，４５：光検出器    ５１：発光部    ５２：受光部    ６０：ＬＤ駆動制御回路（半導体レーザ駆動制御回路）    ６１：ＬＤ駆動部    ７１：メモリブロック    ７２：画像処理部    ７３：出力データコントロール部    ８６：クロック生成部    ８６ａ：ＰＬＬ回路    ８７：ゲート信号生成部    ８７ａ：主走査カウンタ部
【図１】
2005238660.tif 000003
【図２】
2005238660.tif 000004
【図３】
2005238660.tif 000005
【図４】
2005238660.tif 000006
【図５】
2005238660.tif 000007
【図６】
2005238660.tif 000008